(57)【要約】【課題】移動交換機の音声通話呼処理体系を着信者のサービス登録の有無に基づいて細分化し、音声呼処理の前に、データ呼への連結を誘導することにより、データ呼処理の際に発信者の要請に応じてデータサービスを実行する。【解決手段】移動交換機は、任意の発信者から呼発信が行われる場合、着信者がＣＰＤＳにその利用者として登録されていれば、データ呼として処理して、着信者により登録された情報およびコンテンツを発信者の無線端末機に伝送してデータ通信を誘導し、着信者がＣＰＤＳにその利用者として登録されていなければ、音声呼として処理して音声通話を誘導する。【選択図】図３
2008547349.tif 000002
【特許請求の範囲】
【請求項１】
無線端末機を利用する移動通信網で移動交換機の呼分離および制御によってデータ通信を行うデータ通信システムにおいて、
前記移動通信網に連結されており、有線または無線通信手段を介してアクセスされてユーザの情報およびコンテンツが登録できるデータベース（６１０）、および発信者または着信者の要請に応じて前記データベースの情報またはコンテンツを発信者または着信者の無線端末機に伝送するように制御するコンテンツプロバイダーデータサービス（ＣＰＤＳ）制御部（６２０）を備えたＣＰＤＳ提供システム（６００）と、
発信者側無線端末機からの呼発信の際に、または音声通話後の着信者からの音声通話路への解除の際に、着信者が前記ＣＰＤＳに登録されたか否かに応じて音声呼の連結を中断し、データ呼に変更して前記発信者側無線端末機が前記ＣＰＤＳ提供システム（６００）に接続されるようにし、発信者の要請に応じてデータ呼を音声呼に変更または解除するようにする呼分離および制御手段を備えた移動交換機（４１０）とを含むことを特徴とする、データ通信システム。
【請求項２】
無線端末機を利用する移動通信網で移動交換機の呼分離および制御によってデータ通信を行うデータ通信方法において、
発信者側無線端末機からの呼発信の際に、着信者が前記移動通信網に連結されたＣＰＤＳの利用者として登録されているか否かを移動交換機（４１０）で判断する段階と、
前記登録の有無判断結果、前記着信者が前記ＣＰＤＳ利用者として登録されていなければ、音声呼処理を行って前記着信者の応答によって通話路を開設させる段階と、
前記登録の有無判断結果、前記着信者が前記ＣＰＤＳ利用者として登録されていれば、音声呼連結を中断し、データ呼に変更して前記発信者側無線端末機を前記ＣＰＤＳ提供システム（６００）に接続させる段階と、
前記ＣＰＤＳ提供システム（６００）への接続の際に、ＣＰＤＳ提供システムに格納されている着信者の初期メニューを発信者の無線端末機に伝送する１次データサービス伝送段階と、
発信者が前記初期メニューからいずれか一つのメニューを選択し、これに該当するコンテンツを要請する場合、発信者がデータ通信を利用するか否かを確認する段階と、
発信者のデータ通信利用を確認する際に、前記要請されたコンテンツを発信者側無線端末機に伝送する２次データサービス伝送段階と、
発信者の音声通話要請に応じてデータ呼を解除し、音声呼処理を行って発信者と着信者との間に通話路を開設させる段階とを含むことを特徴とする、データ通信方法。
【請求項３】
前記ＣＰＤＳ利用者が無線端末機またはインターネットを介してＣＰＤＳ提供システム（６００）に接続する段階と、
前記ＣＰＤＳ利用者が初期メニューおよびコンテンツを構成して前記ＣＰＤＳ提供システム（６００）のデータベース内に登録または変更する段階とをさらに含むことを特徴とする、請求項２に記載のデータ通信方法。
【請求項４】
前記ＣＰＤＳ提供システム（６００）の前記データベース内に初期メニューおよびコンテンツが登録されるときに、前記初期メニューおよびコンテンツをそれぞれのデータベースに別途に格納し、それぞれの初期メニュー毎に、それに対応するコンテンツを連動させて管理することを特徴とする、請求項３に記載のデータ通信方法。
【請求項５】
前記ＣＰＤＳ利用者が無線端末機を介してＣＰＤＳ提供システム（６００）に接続するとき、前記ＣＰＤＳ利用者が自己呼発信の方法を用いて前記ＣＰＤＳ提供システムに接続することを特徴とする、請求項３に記載のデータ通信方法。
【請求項６】
前記ＣＰＤＳ利用者が初期メニューおよびコンテンツを構成する前記段階は、発信者を所定の類型に分類し、前記各分類毎に、それに対応するそれぞれの初期メニューおよびコンテンツを構成する段階を含むことを特徴とする、請求項３〜５のいずれか１項に記載のデータ通信方法。
【請求項７】
前記１次データサービス伝送段階は、発信者別に分類された前記初期メニューのうち、前記発信者の属する分類に対応する初期メニューを前記発信者側無線端末機に伝送することを特徴とする、請求項６に記載のデータ通信方法。
【請求項８】
無線端末機を利用する移動通信網で移動交換機の呼分離および制御によってデータ通信を行うデータ通信方法において、
音声通話後の着信者からの音声通話路の解除の際に、着信者が前記移動通信網に連結されたＣＰＤＳの利用者として登録されているか否かを移動交換機で判断する段階と、
前記登録有無の判断結果、前記着信者が前記ＣＰＤＳ利用者として登録されていなければ、発信者の音声通話路を解除する段階と、
前記登録有無の判断結果、前記着信者が前記ＣＰＤＳ利用者として登録されていれば、前記音声通話路をデータ呼に変更して前記発信者側無線端末機を前記ＣＰＤＳ提供システム（６００）に接続させる段階と、
前記ＣＰＤＳ提供システム（６００）への接続の際に、ＣＰＤＳ提供システムに格納されている着信者の初期メニューを発信者の無線端末機に伝送する１次データサービス伝送段階と、
発信者が前記初期メニューからいずれか一つのメニューを選択し、これに該当するコンテンツを要請する場合、発信者がデータ通信を利用するか否かを確認する段階と、
発信者のデータ通信利用を確認する際に、前記要請されたコンテンツを発信者側無線端末機に伝送する２次データサービス伝送段階と、
発信者の要請に応じてデータ呼を解除する段階とを含むことを特徴とする、データ通信方法。
【請求項９】
無線端末機を利用する移動通信網で移動交換機の呼分離および制御によってデータ通信を行うデータ通信方法において、
発信者がＰＣまたは端末機を介してＣＰＤＳサービス登録およびコールページアプリケーションメニューを構成して自分の端末機に前記コールページアプリケーションを格納する段階と、
着信者がコールページアプリケーションの実行によって自分の通話可能状態情報を入力してＣＰＤＳ提供システムに格納する段階と、
発信者が音声呼を試みると、移動交換機が発信者および着信者のＣＰＤＳサービス登録の有無を確認して発信者に前記コールページアプリケーションの実行を要請する段階と、
発信者の端末機に前記コールページアプリケーションが実行されると、発信者により既に設定されたアプリケーション画面出力オプションにしたがってコールページアプリケーション画面を出力する段階と、
発信者の端末機に前記コールページアプリケーション画面が出力されると、発信者は着信加入者の状態およびサービス登録の有無を確認し、発信者の選択に応じて、音声通話を行い続けるか、或いはＳＭＳまたはＭＭＳなどのサービスを利用するか、或いは着信者により提供される初期メニューを利用することができるように処理する段階と、
発信者の要請に応じてデータ呼を解除する段階とを含むことを特徴とする、データ通信方法。
【発明の詳細な説明】
【技術分野】
【０００１】
本発明は、移動交換機の音声通話呼処理体系を発信者／着信者のサービス登録の有無に基づいて細分化し、音声呼処理の前にデータ呼への連結を誘導することにより、前記データ呼処理の際に発信者の要請に応じてデータサービスを実行するデータ通信システムおよび方法に関する。
【背景技術】
【０００２】
携帯型移動端末機（以下「無線端末機」という）の普及拡大に伴い、無線端末機の機能とデータ通信技術は急速に発展している。現在は、無線端末機間の画像通話が可能になっており、多様な種類のデータサービスが商用化されている。
【０００３】
ところが、データ通信の特性を最大限活用することが可能なコンテンツの不在と限定的なコンテンツの流通経路により、データサービスの活用度は無線端末機の機能および移動通信技術の発展に追いついていない実情である。現在使用されているデータサービスは、移動通信事業者が運営するコンテンツポータルサイトで限定的に行われており、このようなポータルサイトの制限的な利用者を対象とするコンテンツの特性によりデータ通信の活性化が遅れている。また、着信者によって提供される通話待機中のイメージサービスまたは音楽サービスは、着信者の応答によって通話路が開設される前までの数秒間発生する通話待機中の付加サービスであって、データ通信の特性を生かしたサービスと見なすことが難しく、データ通信の活性化に寄与していない。
【発明の開示】
【発明が解決しようとする課題】
【０００４】
本発明は、上述した問題点を勘案し、移動交換機の音声通話呼処理体系を発信者／着信者のサービス登録の有無に基づいて細分化し、音声呼処理の前にデータ呼への連結を誘導することにより、データ呼処理の際に発信者の要請に応じてデータサービスを実行する。
【０００５】
このようなデータサービスシステムを介して、全ての移動通信加入者が自分のコンテンツを構成して任意の発信者にコンテンツを提供するＣＰ（コンテンツプロバイダー）の役割を行うことができ、任意の発信者は自分と理解関係にある着信者により提供されるコンテンツに自然に関心を持ってデータサービスを利用することにより、音声通話を目的とする全ての電話通話がデータ通信に連結されてデータ通信を活性化することを目的とする。
【課題を解決するための手段】
【０００６】
上記目的を達成するために、本発明は、移動交換機の音声通話呼処理体系を発信者／着信者のサービス登録の有無に基づいて細分化し、音声呼処理の前にデータ呼への連結を誘導することにより、データ呼処理の際に発信者の要請に応じてデータサービスを実行するデータ通信システムであって、以下の手段を含むことを特徴とする。
【０００７】
着信者が自分の情報およびコンテンツを製作してコンテンツプロバイダーデータサービス（ＣＰＤＳ）提供システムに登録した場合、移動交換機は、呼発信の際にこれを確認して、音声通話を目的とする音声呼の連結を中断させ、データ呼に変更処理する交換機の呼分離および制御手段。
【０００８】
データ呼に処理される場合、ＣＰＤＳに加入した着信者の情報および発信者の情報を交換機から受け取って発信者別に分類された（例えば、家族／学校／職場／恋人／友達／宗教団体など）当該着信者の初期登録メニューを発信者の無線端末機に伝送するＣＰＤＳサーバーの１次データサービス伝送制御手段。
【０００９】
発信者が自分の端末機上に出力された初期メニューを検索した後、任意のメニューを選択して、前記メニューに該当するコンテンツを要請する場合、発信者のデータ通信利用の有無を確認してデータ通信を行うデータサービス制御手段。
【００１０】
発信者のデータサービス要請の際に発信者指定のメニューに該当するコンテンツを発信者の無線端末機に伝送するＣＰＤＳサーバーの２次データサービス伝送制御手段。
【００１１】
データ通信によって着信者のコンテンツを閲覧しまたはダウンロードした後、発信者が音声通話を要請する場合、着信者のＣＰＤＳ画面を終了すると同時にデータ呼を解除し、初期の呼発信を再開して音声呼として処理して音声通話を可能にする交換機の音声呼再処理手段。
【発明を実施するための最良の形態】
【００１２】
以下、本発明の好適な実施例を添付図面を参照してより詳細に説明する。
【００１３】
図１は本発明に係るＣＰＤＳ提供システム６００と通信網との接続例を示す図である。
【００１４】
ＣＰＤＳ提供システム６００は、ＣＰＤＳ提供のために発信者無線端末機１００に移動通信網４００を介して接続され、ＣＰＤＳ初期メニューおよびコンテンツ登録のために着信者無線端末機２００に移動通信網４００を介してまたはＰＣ３００およびインターネット５００を介して接続される。
【００１５】
発信者および着信者無線端末機１００／２００はいずれも、ＣＰＤＳ初期メニューおよびコンテンツを登録／利用することが可能な機能を含む端末機であることが好ましいが、着信者の端末機が従来の有線電話機の場合にも、無線の場合と同様に、インターネット５００を介してのＰＣ３００で初期メニューおよびコンテンツを登録／変更して本発明のサービスを利用することができる。
【００１６】
ＣＰＤＳ提供システム６００は、着信者無線端末機２００に移動通信網４００を介して接続され、着信者無線端末機２００の要請に応じてＣＰＤＳ初期メニューおよびコンテンツを製作／登録／格納することのできる機能を提供する。ＣＰＤＳユーザは、ＣＰＤＳ提供システム６００により提供されるライセンス保護された様々なコンテンツを選択して自分のＣＰＤＳコンテンツとして登録することができるうえ、着信者無線端末機２００から停止画像イメージ、動画像、デキストなどのデータを選択した後、これをＣＰＤＳ提供システムに伝送して自分のＣＰＤＳ初期メニューおよびコンテンツとして製作して登録することができる。また、ユーザは、インターネット５００を介してＰＣ３００でＣＰＤＳ提供システム６００に接続した後、自分のＰＣに内蔵されているイメージ、動画像、資料、またはＣＰＤＳ提供システム６００により提供される様々なコンテンツを用いてＣＰＤＳ初期メニューおよびコンテンツを製作して登録することができる。
【００１７】
このように登録されたＣＰＤＳ初期メニューおよびコンテンツは、ＣＰＤＳ提供システムに接続された発信者の端末機１００を介して発信者に提供される。
【００１８】
図２は本発明に係るＣＰＤＳ提供システム６００の詳細構成図である。
【００１９】
ＣＰＤＳ提供システム６００は、ＣＰＤＳ加入者情報データベース６１１、ＣＰＤＳ加入者コンテンツデータベース６１２、およびＣＰＤＳ一般コンテンツデータベース６１３を含むＣＰＤＳデータベース部６１０と、ＣＰＤＳデータ処理部６２１、ＣＰＤＳコンテンツ処理部６２２、およびＣＰＤＳ加入者処理部６２３を含むＣＰＤＳ制御部６２０とから構成されている。
【００２０】
ＣＰＤＳ加入者情報データベース６１１は、ＣＰＤＳに登録された加入者情報を含んでいるデータベースであって、ＣＰＤＳ制御部の要請に応じて当該加入者の情報の照会／登録／変更／削除などの役割を担当する。ＣＰＤＳ加入者コンテンツデータベース６１２は、加入者の要請により登録されたＣＰＤＳ処理メニューおよびコンテンツ情報を含んでいるデータベースであって、ＣＰＤＳ制御部６２０の要請に応じて着信加入者の初期ＣＰＤＳメニューおよびコンテンツを照会／登録／変更／削除し、発信者が呼発信を試みてＣＰＤＳ提供システム６００に接続する場合、ＣＰＤＳ制御部６２０の要請に応じて発信者の類型（例えば、家族／学校／職場／恋人／友達／宗教団体など）に合う着信加入者の初期メニューおよびコンテンツを照会して、選別された情報をＣＰＤＳデータ処理部６２１に渡す役割を担当する。ＣＰＤＳ一般コンテンツデータベース６１３は、加入者が利用することが可能な様々な画面、動画像、音楽、キャラクター、ロゴ、資料などのライセンス保護されたコンテンツを格納しているデータベースであって、ＣＰＤＳ制御部６２０の要請に応じて当該加入者の初期メニューおよびコンテンツの構成に必要な資料を提供する役割を果たす。
【００２１】
ＣＰＤＳデータ処理部６２１は、ＣＰＤＳ提供システム６００に接続する発信者または着信者無線端末機１００／２００とＣＰＤＳ加入者の初期メニューおよびコンテンツデータ送受信のためのもので、ＣＰＤＳ加入者の初期メニューおよびコンテンツ登録／変更のためのデータ送受信、ＣＰＤＳ加入者の初期メニューおよびコンテンツ提供のためのデータ送受信の役割を果たす。すなわち、ＣＰＤＳ初期メニューおよびコンテンツの登録／変更のためにＣＰＤＳ提供システム６００に接続した着信者２００からメニューおよびイメージ、動画像、資料などのデータを受信して当該ＣＰＤＳ加入者コンテンツデータベース６１２に格納し、着信者２００により指定された初期メニューおよびイメージ、動画像、資料などのデータを発信者１００に伝送する役割を果たす。ＣＰＤＳコンテンツ処理部６２２は、ＣＰＤＳ初期メニューの登録／変更のためにＣＰＤＳ提供システム６００に接続する着信者無線端末機２００、またはインターネット３００を介してＣＰＤＳ提供システム６００に接続するＰＣ３００をして、ＣＰＤＳ初期メニューおよびコンテンツを容易に登録／変更することができるようにする。すなわち、着信者無線端末機２００またはＰＣ３００から要求されたメニューおよびコンテンツをＣＰＤＳ加入者コンテンツデータベース６１２とＣＰＤＳ一般コンテンツデータベース６１３から受け取り、ＣＤＰＳ初期メニューおよびコンテンツを容易に構成することができるようにする。ＣＰＤＳ加入者処理部６２３は、ＣＰＤＳ初期メニューの登録／変更のために、ＣＰＤＳ提供システム６００に接続する着信者無線端末機２００、またはインターネット５００を介してシステム６００に接続するＰＣ３００加入者の接続および認証機能を担当する。
【００２２】
図３は本発明によって発信加入者がＣＰＤＳを利用する全般的なサービスの流れ図を示す。
【００２３】
発信者無線端末機１００が呼発信（１１０）を行うと、移動交換機（ＭＳＣ）４１０は、着信加入者がＣＰＤＳに登録されているか否か（１２０）を確認した後、もし登録されていない場合には、音声呼処理（１２１）を進んで着信者が応答（１２２）を行うと、通話路を開設した後、音声通話（１２３）を行う。もし着信加入者がＣＰＤＳに登録されている場合には、移動交換機は、音声呼連結を中断（１３０）し、データ呼処理に変更してＣＰＤＳ提供システムへの接続を行い、移動交換機４１０は、ＣＰＤＳ提供システムに発信者および着信者の情報を伝送し、ＣＰＤＳ着信加入者により登録された初期メニューを要請（１３１）する。ＣＰＤＳ提供システムは、着信者がＣＰＤＳ初期メニューおよびコンテンツ登録（２１０）手続きにしたがって登録した発信者別のＣＰＤＳ初期メニューを発信者および着信者の情報を用いて検索した後（１３２）、発信者無線端末機に伝送（１４０）する。発信者無線端末機１００は、これを受け取って発信者に出力（１５０）する。もし着信加入者がＣＰＤＳに登録されていても、任意の発信者がＣＰＤＳを所望しない場合、発信者無線端末機１００の内部にＣＰＤＳ利用有無を予め設定しておくか、着信加入者番号の前または後に特定のコード（＊または＃）を共に押して伝送する方法によって直ちに音声通話を要請することもできる。
【００２４】
発信者が、自分の無線端末機１００に出力されたＣＰＤＳ初期メニューを検索した後、前記メニューに該当するコンテンツに対して追加的な利用を所望する場合、データ通信利用の有無を選択（１６０）する。データ通信利用を選択してＣＰＤＳ提供システム６００に当該コンテンツの出力を要請（１７０）すると、ＣＰＤＳ提供システム６００は、前記要請を受け取って当該コンテンツを発信者無線端末機１００に伝送（１８０）する。発信者無線端末機１００は、このコンテンツを受け取って出力／再生して発信者に提供（１９０）する。また、発信者は、ＣＰＤＳコンテンツ出力画面に常に表示された音声通話要請メニューを選択し、或いは無線端末機の一定のキーを押すことにより、ＣＰＤＳコンテンツ利用中に何時でも電話通話要請（１６１）を行うことができる。前記電話通話要請の際に呼発生（１６２）、データ呼解除（１６３）、音声呼処理（１６４）、通話路開設などの手続きを経て音声通話（１６５）を行う。
【００２５】
本実施例では、着信者が無線加入者の場合についてのみ記述したが、着信者が無線加入者ではなく有線加入者の場合にもＣＰＤＳ提供システムを有線交換網と連動させ、本発明と同一の方法で、着信加入者がインターネットを介してＰＣで登録したメニューおよびコンテンツを無線発信者に提供することができる。
【００２６】
図４は本発明によって発信加入者がＣＰＤＳを利用する方法の一実施例を移動交換機の呼処理の面で示す図である。
【００２７】
発信者無線端末機（Ｓ１００）が呼発信（Ｓ１１０）を行うと、移動交換機は、発信者からの呼連結の要請を受けて着信加入者の情報を照会する。着信加入者の情報を照会するためには、一般に、移動通信社のＨＬＲ（ホーム位置レジスタ）システムを利用するが、着信者のＣＰＤＳ登録情報もホーム位置レジスタに共に格納されていることが好ましい。着信加入者の情報照会中に、ＣＰＤＳに登録されて活性化されているか否か（Ｓ１２０）も共に確認する。もし登録されていなければ、一般な音声呼処理（Ｓ１２１〜Ｓ１２４）を進んで音声通話（Ｓ１２５）が行われる。ところが、もし着信加入者がＣＰＤＳに登録されていれば、移動交換機は、発信加入者の音声呼連結を中断（Ｓ１３０）させ、データ呼処理に変更して発信者と着信者の情報をＣＰＤＳ提供システムに伝送し、着信加入者の初期メニューをＣＰＤＳ提供システムに要請する（Ｓ１４０）。発信者と着信者の情報を受信したＣＰＤＳ提供システムは、前記情報を用いて発信者類型別（家族／学校／職場／恋人／友達／宗教団体など）に格納されている初期メニューのうち、当該発信者の初期メニューを発信者無線端末機（Ｓ１００）に伝送する。発信者無線端末機（Ｓ１００）は、当該メニューの伝送を受けて出力し、発信者は、着信者により登録された初期メニューを検索（Ｓ１５０）した後、前記メニューに対してさらに利用を所望する場合、データ通信利用の有無に応じることにより、選択されたメニューに該当するコンテンツの利用／鑑賞／資料格納（Ｓ１６０）をさらに行うことができる。コンテンツ利用途中でも発信者の選択に従って何時でも音声通話を要請することができるようにすることにより、音声通話要請（Ｓ１７０）の際に既存のデータ呼を解除（Ｓ１８０）し、音声呼処理を進行（Ｓ１２１〜Ｓ１２４）して着信加入者との音声通話（Ｓ１２５）を行うことができる。
【００２８】
図５は図２のＣＰＤＳ加入者コンテンツデータベースの構成をデータ伝送過程と連結して説明した図である。
【００２９】
発信者が呼発信を要請する場合、着信者のＣＰＤＳ登録の有無Ｐ１１０に応じて、ＣＰＤＳ加入者初期メニューデータベースＰ１２０は当該発信者に合う着信加入者の初期メニューを検索し、選択された初期メニューは発信者端末機Ｐ１００に伝送（Ｐ１３０）されて出力される。着信加入者の初期メニューは、着信加入者が発信者に示したいコンテンツをグループ化しておいた目録であって、背景画面／動画像／イメージ／音楽／テキストなどと共に実現できる。
【００３０】
着信加入者の初期メニューを検索した後、発信者１００が初期メニューから任意のメニューを選択して、当該メニューにグループ化されているコンテンツの追加利用を所望する場合、ＣＰＤＳデータ通信利用の有無（Ｐ１４０）を尋ねるメッセージ窓が発信者端末機Ｐ１００上に出力される。前記発信者がデータ通信の利用に応じる場合、ＣＰＤＳ加入者コンテンツデータベースＰ１５０で検索された当該コンテンツが発信者端末機１００に伝送（Ｐ１６０）されて出力される。これにより、発信者は着信加入者が保有した多彩なイメージ／キャラクター／動画像／画面／資料などを利用することができる。
【００３１】
図６は本発明によって着信加入者がＣＰＤＳ初期メニューおよびコンテンツの登録または変更を行う方法の一実施例を示す図である。
【００３２】
着信加入者は、着信無線端末機２００を介して自己呼発信などの方法によってＣＰＤＳ提供システム６００への接続要求を行う。自己呼発信によってＣＰＤＳを登録／変更する場合には、移動交換機内にＣＰＤＳ自己呼制御器を別途に設置／運営することが好ましい。ＣＰＤＳ自己呼制御器は、任意の着信加入者が自分の無線端末機２００を用いて自分の端末機番号をもって呼を発信する場合、着信番号とモバイルアイデンティフィケーションナンバー（ＭＩＮ）とが同一であるかを確認する。前記認証過程中に着信番号と発信者情報のＭＩＮとが同一の場合、ＣＰＤＳ自己呼制御器は、移動通信社のホーム位置レジスタ（ＨＬＲ）に発信加入者のＣＰＤＳ登録有無の確認を要請する役割を果たす。移動交換機４１０は、当該加入者のＣＰＤＳ登録の有無を確認した後（２１０）、ＣＰＤＳ加入有無に応じてＣＰＤＳ登録初期画面または着信加入者により登録されたＣＰＤＳ初期メニューの出力を要請（２２０）する。ＣＰＤＳ提供システム６００は、加入有無に応じて、これに該当するＣＰＤＳ画面を着信無線端末機へ伝送（２３０）し、着信無線端末機は伝送された画面を出力（２４０）するようにする。着信加入者は、ＣＰＤＳ提供システム６００により提供される機能を介して、着信無線端末機２００を用いてＣＰＤＳ初期メニューおよびコンテンツを製作および変更することができる。ＣＰＤＳ提供システム６００により提供される前記機能を介して、着信加入者がＣＰＤＳ初期メニューおよびコンテンツの登録または変更要求（２５０）を行うと、ＣＰＤＳ提供システム６００は、これに応じて当該加入者のＣＰＤＳ初期メニューおよびコンテンツを変更または登録（２６０）する。ＣＰＤＳ提供システム６００は、着信端末機２００による初期メニューおよびコンテンツ登録／変更確認２７０を介して正常的な登録／変更手続きが完了したことを着信加入者に知らせる。
【００３３】
また、インターネットを介してのＰＣによってもＣＰＤＳ提供システム６００に接続可能である。この方法は、無線端末機２００ではなく従来の一般有線電話機を使用している着信加入者がＣＰＤＳ初期メニューおよびコンテンツを登録または変更する方法であって、特に有用である。
【００３４】
ＰＣ３００は、インターネットホームページなどを介してＣＰＤＳ提供システムに接続（３１０）し、ＣＰＤＳ提供システムは、当該加入者の認証／確認手続き（３２０）を経て接続許可を出し、当該加入者のＣＰＤＳ画面をＰＣへ伝送（３３０）する。着信加入者は、ＰＣに出力された登録初期画面または着信加入者により登録されたＣＰＤＳ初期メニュー画面３４０を確認した後、ＣＰＤＳ提供システム６００により提供される機能を介してＣＰＤＳ初期メニューおよびコンテンツの登録／変更要求（３５０）を行い、これによりＣＰＤＳ提供システム６００は、ＣＰＤＳメニューおよびコンテンツを登録／変更（３６０）した後、着信加入者にその登録／変更の内容（３７０）を知らせる。
【００３５】
図７は本発明に係る、着信加入者により登録されたＣＰＤＳサービスを任意の発信者が利用する一実施例を示す図である。
【００３６】
発信者が電話通話のために着信者の電話番号（０１１−９９８０−１２３４）を入力した後、通話キーを押して通話を要請（Ｍ１００）する場合、着信加入者のＣＰＤＳ初期メニューが発信者の端末機１００上に出力（Ｍ２００）される。前記初期メニューは、着信加入者がＣＰＤＳサービス登録の際に発信者の類型によって区分しておいた多数の初期メニューの一つであって、図７では友達グループのためのＣＰＤＳ初期メニューと仮定して作成された。前記初期メニューが発信者の端末機１００に出力されると、発信者は多様なメニューからいずれか一つを選択し、そのメニューに該当するコンテンツをさらに利用することができる。初期メニューから２番を選択（Ｍ３００）して当該コンテンツを要請する場合、メッセージ窓が表示されることにより、データ通信料金が賦課されることを知らせ（Ｍ４００）、これに応答する場合、当該コンテンツが発信者の端末機１００に出力（Ｍ５００）される。画面上にあるコントロールキーを用いて多様な写真を検索した後、＃キーを用いて初期メニュー画面に移動して他のメニューのコンテンツをさらに利用することができる。このような方法で多様なコンテンツを検索またはダウンロードした後、通話キーを押すことにより、着信者との音声通話を要請（Ｍ６００）することができる。
【００３７】
図８は本発明によって発信者が着信加入者のＣＰＤＳを利用するサービス流れ図の別の形態を示す。本図は、発信者が音声通話の後、着信者により登録されたＣＰＤＳ初期メニューおよびコンテンツを利用する方法について説明したものであって、音声通話が完了した時点で着信者のＣＰＤＳ登録の有無を確認する過程が図３とは区分される。
【００３８】
発信者無線端末機１００が呼発信（１１０）を行うと、移動交換機４１０は音声呼処理（Ｂ１２０）手続きを行い、着信者無線端末機２００の着信応答（Ｂ１２１）を介して通話路を開設した後、音声通話（Ｂ１２２）を行う。音声通話の後、着信者が音声通話路を解除（Ｂ１３０）すると、移動交換機４１０は着信加入者がＣＰＤＳに登録されているか否かを確認した後（Ｂ１４０）、もし登録されていなければ、発信者の音声通話路を解除（Ｂ１５０）する。もし着信加入者がＣＰＤＳに登録されていれば、移動交換機は、データ呼処理に変更してＣＰＤＳ提供システムに接続し、発信者および着信者の情報を伝送（Ｂ１４１）して、ＣＰＤＳ着信加入者により登録された初期メニューを要請する。ＣＰＤＳ提供システムは、着信者がＣＰＤＳ初期メニューおよびコンテンツ登録（２１０）手続きによって登録した発信者別ＣＰＤＳ初期メニューを発信者および着信者の情報を用いて検索した後（Ｂ１４２）、発信者無線端末機に伝送（Ｂ１４３）する。発信者無線端末機１００は、これを受け取って発信者に出力（Ｂ１６０）する。
発信者が自分の無線端末機１００に出力されたＣＰＤＳ初期メニューを検索した後、前記メニューに該当するコンテンツに対して追加利用を所望する場合、データ通信利用の有無を選択（Ｂ１７０）する。データ通信利用を選択してＣＰＤＳ提供システム６００に当該コンテンツの出力を要請すると（Ｂ１８０）、ＣＰＤＳ提供システム６００は、前記要請を受けて当該コンテンツを発信者無線端末機１００へ伝送する（Ｂ１９０）。発信者無線端末機１００は、このコンテンツを受け取って出力／再生して発信者に提供する（Ｂ１９１）。もし発信者が前記メニューに該当するコンテンツに対して利用を所望しない場合、所望しないことをデータ通信利用有無確認過程（Ｂ１７０）で表示することにより、移動交換機はデータ呼を解除する（Ｂ１７１）。
【００３９】
図９および図１０は本発明によって発信者がコールページアプリケーション(Call Page Application)を用いて着信加入者のＣＰＤＳを利用するサービス流れ図を示す。本図は本発明の他の実施例を提示する図であって、本発明によれば、着信者のサービス登録有無の確認手続きの前に、発信者のサービス登録有無の確認手続きを経ることにより、サービスを所望しない任意の発信者がサービスを利用することにより提起されるおそれのある不満を予め防止することができる。また、発信者端末機の応用プログラム（アプリケーション）実行によって提供されるアプリケーション画面から着信加入者の通話可能状態を知ることができ、音声通話、ＳＭＳ、着信加入者の初期メニュー接続などの機能を選択して利用することができる。前記発信者端末機アプリケーション実行方式は、発信加入者が着信加入者の初期メニュー検索を選択的に利用することを可能にすることにより、発信加入者が音声通話を目的として呼発信を行う場合、着信加入者の初期メニュー出力のために待つ必要がなくなることにより、発信加入者の便宜が増大する。
【００４０】
発信者１００または着信者２００が端末機を介してサービス登録を要請すると、移動交換機４１０は、発信者１００または着信者２００がＣＰＤＳ提供システム６００に呼を接続するようにする。これにより、発信者１００は、本人が所望する形態のコールページアプリケーション画面のメニューまたは初期メニューを構成する。これを済ませると、ＣＰＤＳは、サービス登録（Ａ６１０）を行った後、これに対する結果を移動交換機４１０に知らせ、当該加入者がＣＰＤＳサービス登録を済ませたことを通報する（Ａ６１１）。そして、ＣＰＤＳ提供システム６００は、発信加入者１００に本人選択のコールページアプリケーションを伝送し（Ａ６２０）、発信者１００は、これを無線端末機に格納することにより、ＣＰＤＳ利用準備を完了する（Ａ６３０）。前記アプリケーション格納手続きは、ＣＰＤＳサービスに加入した着信加入者２００にも同様に適用される。前記アプリケーションは、着信加入者により提供される初期メニュー接続または音声通話要請などのメニュー別サービスを支援するためのモバイル端末用応用プログラムであって、ＷＩＰＩ(Wireless Internet Platform for Interoperability)プラットフォームを支援する端末機上で実現可能である。
【００４１】
着信加入者２００は、ＣＰＤＳサービス加入段階（Ａ２１０）を介して格納されたアプリケーションを実行してアプリケーションの管理者モードで自分の通話可能状態を入力（Ａ２２０）することができる。着信加入者２００により入力された通話状態情報は、着信者端末機のアプリケーションを介して移動交換機４１０に登録要請（Ａ２２１）を行い、移動交換機４１０は、ＣＰＤＳ提供システム６００に通話状態情報を通報（Ａ２２２）および格納（Ａ２２３）する段階を経て、着信加入者２００の通話状態登録手続きが完了する。
【００４２】
発信者１００が呼発信（Ａ１２０）を行うと、移動交換機４１０は、発信者がＣＰＤＳに登録されているか否かを確認した後（Ａ１３０）、もし登録されていない場合には、音声呼処理を進んで（Ａ１３１）、着信者が応答すると、通話路を開設した後、音声通話を行う（Ａ１３２およびＡ１３３）。もし発信者がＣＰＤＳに登録されている場合には、移動交換機４１０は、着信加入者のＣＰＤＳサービス登録の有無を確認して（Ａ１４０）、着信者がＣＰＤＳサービスに登録されていなければ、着信加入者の初期メニュー情報を含んでいないコールページアプリケーション実行を発信者１００に要請し（Ａ１４１）、着信者がＣＰＤＳサービスに登録されていると、着信加入者の状態照会および通報過程（Ａ１４５および１４６）を介して着信加入者の状態情報およびサービス登録情報を含んだコールページアプリケーション実行を発信者１００に要請する（Ａ１５０）。前記コールページアプリケーション実行要請手続き中、移動交換機４１０のホーム位置レジスタ（ＨＬＲ）に存在する着信者の状態情報（通話中、パワーオフ、サービス非加入など）も、着信者２００により登録された通話状態情報と共に提供することができる。発信者１００の無線端末機は、移動交換機４１０からコールページアプリケーション実行の要請を受けると、既にＣＰＤＳサービス登録を介して格納されたコールページアプリケーションを実行する（Ａ１６０）。発信者１００は、コールページアプリケーションにより提供される画面出力オプション機能を介して、既に設定されたイベントに応じてアプリケーション画面の出力時間を調整することができる。例えば、発信者１００は、コールページアプリケーション画面出力を着信者２００の通話不可能時と設定する場合、着信者２００が通話を行うことができない場合に限ってコールページアプリケーション画面が出力され、着信者２００が通話を行うことが可能な状態であればコールページアプリケーション画面出力なしで直ちに着信者２００との音声通話を行い、音声通話が終わった時点にコールページアプリケーション画面が出力されるようにすることができる。前記着信者の通話状態判別過程中に通話を行うことができない場合には、着信者が通話中か、端末機の電源が切れたか、或いは着信者が通話不可能と設定した場合などが含まれる。もし発信者１００がコールページアプリケーション画面の出力を常に所望すると、前記アプリケーション実行（Ａ１６０）手続きによって着信者の通話状態とは別個にコールページアプリケーション画面が図面での如く出力（Ａ１７０）され、前記アプリケーション画面から、発信加入者は着信加入者の通話可能状態および着信加入者の初期メニュー登録の有無を確認する。
【００４３】
その後、発信者１００は、コールページアプリケーション上に出力されたメニューを用いてＳＭＳ、ＭＭＳ、着信者初期メニュー接続などを行うが、本図は、その中の一つの実施例であって、着信加入者初期メニューを選択して無線コンテンツを利用するか、或いは音声通話を選択して音声通話を行う実施例を示した。発信者１００が着信加入者初期メニューを選択すると（Ａ１８０）、移動交換機４１０は、その要請を受けて発信者／着信者情報を共に伝送してＣＰＤＳ提供システム６００に着信加入者初期メニューを要請し（Ａ１８１）、ＣＰＤＳ提供システム６００は、当該の着信加入者初期メニューを検索して（Ａ１８２）発信者１００に伝送する（Ａ１８３）。もし発信者１００が音声通話を選択すると（Ａ１９０）、移動交換機４１０はこれを受け取って音声呼処理を行い（Ａ１９２）、着信応答（Ａ１９３）および通話路の開設によって音声通話を行う（Ａ１９４）。
【００４４】
図１１は、図９および図１０に示したサービス流れ図を、発信者がＣＰＤＳサービスに加入して利用する面で説明した一実施例を示す。
【００４５】
発信加入者１００が電話通話のために着信者２００の電話番号（０１１−２００−２０００）を入力した後、通話を要請（Ｃ１１０）する場合、発信加入者１００の端末機上に本人が構成しておいたコールページアプリケーション画面が出力される。この際、着信者２００がＣＰＤＳサービスに登録して本人の初期メニュー画面を持っていると、着信者初期メニュー（画面における「初期メニュー接続」項目）の活性化された画面が出力され（Ｃ１２０）、もし着信者２００がＣＰＤＳサービスに登録されていなければ、着信者初期メニュー（画面の「初期メニュー接続」項目）の非活性化された画面が出力される（Ｃ１３０）。前記コールページアプリケーション画面は、発信加入者１００がＣＰＤＳサービスに登録しながら構成しておいた画面であって、発信加入者１００がよく使う機能を選択して構成した画面である。前記画面構成の際に音声通話キーと初期メニュー接続キーは基本として提供され、ＳＭＳ、ＭＭＳ、写真送信などの機能は発信加入者が選択的に追加することができる。前記ＳＭＳ、ＭＭＳ、写真送信などの機能は無線インターネットを介して接続して利用することが可能なコンテンツまたはサービスであってもよく、無線インターネットを介することなく移動交換網で直接提供するコンテンツまたはサービスであってもよい。発信加入者１００が前記段階Ｃ１２０で「初期メニュー接続」を要請すると、着信加入者２００により提供される初期メニュー画面が出力される（Ｃ１２１）。発信加入者１００は、着信加入者２００により提供される多様な情報およびコンテンツのメニューを検索した後、細部コンテンツの出力を要請して出力されたコンテンツを利用（Ｃ１２２）することができる。前記全画面の利用中に、発信加入者１００は音声通話を要請することができ、通話連結キーを押すことにより、音声通話要請画面が出力され（Ｃ１４０）、図１０に示した音声呼処理過程（Ａ１９２〜Ａ１９４）が始まる。
【産業上の利用可能性】
【００４６】
全ての移動通信加入者が自分のコンテンツを構成して任意の発信者に多様なあつらえ情報とコンテンツを提供し、任意の発信者は、自分と理解関係にある着信者により提供されるコンテンツに自然に関心を持ってデータサービスを利用することにより、音声通話中心の現電話通話体系から脱皮してデータ通信の活性化に寄与する。また、速いデータ伝送速度を標榜する３世代（ＷＣＤＭＡ）または３．５世代（ＨＳＤＰＡ）移動通信サービスの主力サービスとしての無限な拡張が可能である。
【００４７】
また、本発明は、制限的な流通経路によるコンテンツの不在に対する問題点を解決することにより、全ての本発明のサービス利用者（一般利用者およびビジネス利用者）が自分のコンテンツを積極的に開発することができるように動機を付与し、ひいては移動端末機および移動通信強国に相応しい移動コンテンツ強国に跳躍することに寄与することができる。
【図面の簡単な説明】
【００４８】
【図１】本発明に係るＣＤＰＳ提供システムと通信網とのの接続例を示す図である。
【図２】本発明に係るＣＰＤＳ提供システムの詳細構成を示す図である。
【図３】本発明によって発信加入者がＣＰＤＳを利用する全般的なサービスの流れ図を示す図である。
【図４】本発明によって発信加入者がＣＰＤＳを利用するサービスの流れ図を移動交換機の呼処理の面で示す図である。
【図５】図２のＣＰＤＳ加入者コンテンツデータベースの構成をデータ伝送過程と連結して示す図である。
【図６】本発明によって着信加入者がＣＰＤＳ画面およびコンテンツを登録または変更する方法の一実施例を示す図である。
【図７】本発明によって着信加入者が登録しておいたＣＰＤＳサービスを任意の発信者が利用する一実施例を示す図である。
【図８】本発明によって発信者が着信加入者のＣＰＤＳを利用するサービスの流れ図の他の実施例を示す図である。
【図９】本発明によって発信者がコールページアプリケーション(Call Page Application)を用いて着信加入者のＣＰＤＳを利用するサービス流れ図の一実施例を示す図である。
【図１０】本発明によって発信者がコールページアプリケーション(Call Page Application)を用いて着信加入者のＣＰＤＳを利用するサービス流れ図の一実施例を示す図である。
【図１１】図９および図１０に示したサービス流れ図を、発信者がＣＰＤＳサービスに加入して利用する面で説明する図である。
【図１】
2008547349.tif 000003
【図２】
2008547349.tif 000004
【図３】
2008547349.tif 000005
【図４】
2008547349.tif 000006
【図５】
2008547349.tif 000007
【図６】
2008547349.tif 000008
【図７】
2008547349.tif 000009
【図８】
2008547349.tif 000010
【図９】
2008547349.tif 000011
【図１０】
2008547349.tif 000012
【図１１】
2008547349.tif 000013
【国際調査報告】
2008547349.tif 000014
2008547349.tif 000015